(57)【要約】  ボックス内の無線センサを用いてボックスの開放を検出するスマートボックスシステム及び方法を提供する。このボックスは、薬剤又は宝石を保管するために使用することができる。【選択図】図５
2019534731.tif 000002
【特許請求の範囲】
【請求項１】
スマートボックスであって、
内面を有する閉鎖可能なボックスと、
前記ボックス内の、無線信号を発信する無線センサと、
前記ボックスが閉じている時に前記センサからの前記無線信号が前記ボックスから放出されるのを阻止する、前記ボックスの各内面上のシールドと、
前記ボックスが開いている時に前記センサからの前記無線信号を検出して、前記ボックスが開いた時点で前記ボックスから製品が取り出されたことを確認することができるセンサを有するコンピュータ装置と、
を備えることを特徴とするスマートボックス。
【請求項２】
前記センサは、Ｂｌｕｅｔｏｏｔｈ  Ｌｏｗ  Ｅｎｅｒｇｙセンサである、
請求項１に記載のスマートボックス。
【請求項３】
前記シールドはアルミニウムである、
請求項２に記載のスマートボックス。
【請求項４】
前記製品は、薬剤、宝石及び宝飾品のうちの１つである、
請求項１に記載のスマートボックス。
【請求項５】
前記コンピュータ装置は、前記ボックスが開いた時に前記センサからの前記無線信号を検出して、前記ボックスが開いた時点で前記ボックスから前記製品が取り出されたことを確認するアプリケーションを実行するプロセッサをさらに有する、
請求項１に記載のスマートボックス。
【請求項６】
前記アプリケーションは、前記製品のいずれかの副作用が発生したかどうかを確認する、
請求項１に記載のスマートボックス。
【請求項７】
服薬遵守のための方法であって、
閉鎖可能なボックスであって、内面と、Ｂｌｕｅｔｏｏｔｈ  Ｌｏｗ  Ｅｎｅｒｇｙ無線信号を発信する前記ボックス内の無線センサと、前記ボックスが閉じている時に前記センサからの前記無線信号が前記ボックスから放出されるのを阻止する、前記ボックスの各内面に取り付けられたアルミニウムシートとを有する前記ボックス内に、複数の錠剤を提供するステップと、
前記ボックスが開いた時に前記センサからの前記無線信号を検出するステップと、
前記ボックスが開いた時点で前記ボックスから錠剤が取り出されてユーザによって服用されたことを確認するステップと、
を含むことを特徴とする方法。
【請求項８】
前記ボックスが開いた時に前記センサからの前記無線信号を検出して、前記ボックスが開いた時点で前記ボックスから前記錠剤が取り出されたことを確認するアプリケーションを提供するステップをさらに含む、
請求項７に記載の方法。
【請求項９】
前記アプリケーションが、前記服薬からのいずれかの副作用が発生したかどうかを確認するステップをさらに含む、
請求項８に記載の方法。
【発明の詳細な説明】
【技術分野】
【０００１】
本開示は、一般にスマートピルボックスを使用するシステム及び方法に関する。
【背景技術】
【０００２】
ピルボックスに他の機能を加えた技術は存在してきた。例えば、ＲｅｍｏＰｉｌｌは、患者に薬の服用をリマインドしてその順守性をモニタするスマートピル容器である（その詳細については、ｈｔｔｐｓ：／／ｒｅｍｏｃａｍ．ｃｏｍ／ｔａｇ／ｃｅｓ２０１６／及びｈｔｔｐｓ：／／ｗｗｗ．ｙｏｕｔｕｂｅ．ｃｏｍ／ｗａｔｃｈ？ｖ＝ｅ６Ｂ７７ｉ６Ｍｄｋｗで見ることができ、これらのサイトは引用により本明細書に組み入れられる）。ＲｅｍｏＰｉｌｌは、薬の服用時間になったら消費者に知らせ、正しい投与量が服用されたかどうかをモニタする。しかしながら、ＲｅｍｏＰｉｌｌはバッテリ寿命が短く、製品内に多くの回路が存在することによって、特に新興国では高価である。
【０００３】
やはり患者に薬の服用をリマインドするスマートピルボックスである別の既存の製品がＴｒｉｃｅｌｌａ社によって製造されている（その詳細については、ｈｔｔｐｓ：／／ｍａｃｓｏｕｒｃｅｓ．ｃｏｍ／ｔｒｉｃｅｌｌａ−ｉｎｔｒｏｄｕｃｅｓ−ｓｍａｒｔ−ｐｉｌｌｂｏｘ／、ｈｔｔｐ：／／ｗｗｗ．ｔｒｉｃｅｌｌａ．ｃｏｍ／及びｈｔｔｐｓ：／／ｗｗｗ．ｙｏｕｔｕｂｅ．ｃｏｍ／ｗａｔｃｈ？ｖ＝ＫｚＪ３ｄＨＮＮＩＵＡで見ることができ、これらのサイトは引用により本明細書に組み入れられる）。Ｔｒｉｃｅｌｌａ社のスマートピルボックスは、ＢＬＥによるＯｐｅｎ  Ｄｅｔｅｃｔｉｏｎを使用するとされているが、特に新興国ではピルボックスにしては高価である。
【０００４】
ヒンジ型センサを使用して錠剤の服用を検出していると思われるスマートピルボックスである別の既存の製品は、Ｍｅｍｏ  Ｂｏｘと呼ばれる（その詳細については、ｈｔｔｐｓ：／／ｗｗｗ．ｋｉｃｋｓｔａｒｔｅｒ．ｃｏｍ／ｐｒｏｊｅｃｔｓ／６６１５２７８０９／ｍｅｍｏ−ｂｏｘ−ｓｍａｒｔ−ｃｏｍｐａｎｉｏｎ−ｆｏｒ−ｙｏｕｒ−ｐｉｌｌｓ−ａｎｄ−ｖｉｔａｍｉ及びｈｔｔｐ：／／ｗｗｗ．ｇｉｚｍａｇ．ｃｏｍ／ｍｅｍｏ−ｂｏｘ−ｍｅｄｉｃａｔｉｏｎ−ｒｅｍｉｎｄｅｒ／３４５７９／で見ることができ、これらのサイトは引用により本明細書に組み入れられる）。しかしながら、このピルボックスは、ピルボックスにしては比較的高価であり、３ヶ月ごとに新たなバッテリを必要とし、従って１年間で４つのバッテリを必要とする。
【先行技術文献】
【非特許文献】
【０００５】
【非特許文献１】インターネット＜ＵＲＬ：ｈｔｔｐｓ：／／ｒｅｍｏｃａｍ．ｃｏｍ／ｔａｇ／ｃｅｓ２０１６／＞
【非特許文献２】インターネット＜ＵＲＬ：ｈｔｔｐｓ：／／ｗｗｗ．ｙｏｕｔｕｂｅ．ｃｏｍ／ｗａｔｃｈ？ｖ＝ｅ６Ｂ７７ｉ６Ｍｄｋｗ＞
【非特許文献３】インターネット＜ＵＲＬ：ｈｔｔｐｓ：／／ｍａｃｓｏｕｒｃｅｓ．ｃｏｍ／ｔｒｉｃｅｌｌａ−ｉｎｔｒｏｄｕｃｅｓ−ｓｍａｒｔ−ｐｉｌｌｂｏｘ／＞
【非特許文献４】インターネット＜ＵＲＬ：ｈｔｔｐ：／／ｗｗｗ．ｔｒｉｃｅｌｌａ．ｃｏｍ／＞
【非特許文献５】インターネット＜ＵＲＬ：ｈｔｔｐｓ：／／ｗｗｗ．ｙｏｕｔｕｂｅ．ｃｏｍ／ｗａｔｃｈ？ｖ＝ＫｚＪ３ｄＨＮＮＩＵＡ＞
【非特許文献６】インターネット＜ＵＲＬ：ｈｔｔｐｓ：／／ｗｗｗ．ｋｉｃｋｓｔａｒｔｅｒ．ｃｏｍ／ｐｒｏｊｅｃｔｓ／６６１５２７８０９／ｍｅｍｏ−ｂｏｘ−ｓｍａｒｔ−ｃｏｍｐａｎｉｏｎ−ｆｏｒ−ｙｏｕｒ−ｐｉｌｌｓ−ａｎｄ−ｖｉｔａｍｉ＞
【非特許文献７】インターネット＜ＵＲＬ：ｈｔｔｐ：／／ｗｗｗ．ｇｉｚｍａｇ．ｃｏｍ／ｍｅｍｏ−ｂｏｘ−ｍｅｄｉｃａｔｉｏｎ−ｒｅｍｉｎｄｅｒ／３４５７９／＞
【発明の概要】
【発明が解決しようとする課題】
【０００６】
要するに、既存のピルボックスはピルボックスにしては高価であり、それでも多くの人口がスマートホンを使用している新興国の人々にとって手が届くものではない。さらに、既存のピルボックスは、例えば通常は信号装置、及び重量又は回転検出のための物理的センサがバッテリを多く消費するので、バッテリ寿命が短くなり得る。
【図面の簡単な説明】
【０００７】
【図１】スマートピルボックスを示す図である。
【図２】スマートピルボックスを組み込んだシステムを示す図である。
【図３】スマートピルボックスが閉じている時のスマートピルボックス及びコンピュータ装置を示す図である。
【図４】スマートピルボックスが開いてコンピュータ装置によって検出されている時のスマートピルボックス及びコンピュータ装置を示す図である。
【図５】図２に示すシステムを用いて実行できる、錠剤の使用を追跡する方法を示す図である。
【図６】スマートピルボックスを組み込んだシステムのユーザインターフェイスを示す図である。
【図７】スマートピルボックスを組み込んだシステムのユーザインターフェイスを示す図である。
【発明を実施するための形態】
【０００８】
本開示は、Ｂｌｕｅｔｏｏｔｈ（登録商標）  Ｌｏｗ  Ｅｎｅｒｇｙ（ＢＬＥ）ビーコンと、アルミニウムで遮蔽されたピルボックスと、スマートホン装置とを使用するスマートピルボックスにとりわけ適用可能であり、この文脈で本開示を説明する。しかしながら、これらの装置及び方法は、宝石などの他の製品を含む容器、並びに本開示の範囲に含まれる他のセンサ技術及び遮蔽技術などにも非常に有用であると理解されるであろう。
【０００９】
図１に、様々な製品、錠剤、医薬品及びその他のいずれかの製品を保管するために使用できる、開いた時及び／又は閉じた時をユーザが追跡又はモニタできることが望ましいスマートピルボックス１０を示す。錠剤などの医薬品を含むボックスの場合、処方通りの服薬は製薬会社にとって強く認識される問題であるため、ボックスがユーザによるボックスの開閉を検出してユーザによる錠剤／薬剤の服用を追跡することができる。ボックス開放（従ってユーザが処方された薬剤を服用したこと）の検出に関するデータは、コンピュータ装置上のアプリケーションを介して、ユーザの医療記録にデータを記録するシステムに送信することができる。宝石店などにおける、宝石、或いは１又は２以上の宝飾品を含むボックスの場合、このボックスを使用して、宝石店のセキュリティ問題にとって重要な、どの従業員がどの宝石箱を開いたかを識別することができる。
【００１０】
図１に示すように、ボックス１０は、互いに（何らかの形で）結合してボックス１０を閉じることができる上部１２及び下部１４を有することができる。図１に示すボックスは正方形／矩形であるが、ボックス１０は、様々な異なる形状とすることができ、いずれかの特定の形状又はサイズに限定されるものではない。いくつかの実施形態では、ボックス１０が、上部１２と下部１４とを互いに確実に付着させる留め金機構（ｃｌａｓｐ  ｍｅｃｈａｎｉｓｍ）を有することができる。ボックス１０は、無線信号を生成するセンサ１６をボックス内に有することもできる。１つの実施形態では、センサ１６を、バッテリなどの電源を含むことも含まないこともできる既知の市販のＢｌｕｅｔｏｏｔｈ  Ｌｏｗ  Ｅｎｅｒｇｙ（ＢＬＥ）センサ／ビーコンとすることができる。１つの実施形態では、センサ１６が連続無線信号を生成／発信することができる。ボックス１０は、ボックス１０が閉じている時にセンサ１６からの無線信号を遮断するために、上部１２の各内面及び下部１４の各内面を覆うシールド１８を有することもできる。１つの実施形態では、シールド１８を、ボックスの各内面を覆う薄いアルミニウムシートとすることができる。他の実施形態では、シールド１８を、ボックスの内面を被覆してセンサ１６からの信号を遮断する他の既知の材料とすることができる。
【００１１】
センサ１６からの信号は、コンピュータ装置がボックス１０の開放を検出するために使用することができる。センサ１６からの信号は、コンピュータ装置とボックス１０との近接度を求めるために使用することもできる。従って、これらを組み合わせることによってボックス１０の開放を検出することができる。ＢＬＥセンサ１６とアルミニウムシールドとを含む実施形態では、他のセンサを伴わないので、ボックスの開放を検出する機構のコストが低く、また１〜２年にわたって動作することができる。
【００１２】
図２に、スマートピルボックス１０を組み込んだ、ボックスの開放及びユーザの処方順守を検出するためのシステムを示す。このシステムは、コンピュータ装置２０と医療システム２２とを含むことができ、コンピュータ装置２０は、ボックス１０が開いている時にボックス内のセンサ１６からの無線信号を検出できるとともに、有線又は無線通信経路を介して医療システム２２と通信することができる。図３には、スマートピルボックスが閉じている時のスマートピルボックス１０及びコンピュータ装置２０を示し、図４には、スマートピルボックスが開くことによってセンサ１６が露出してコンピュータ装置２０がセンサ１６からの信号を検出できるようになった時のスマートピルボックス１０及びコンピュータ装置２０を示す。
【００１３】
再び図２を参照すると、コンピュータ装置２０は、少なくとも１つのプロセッサと、メモリと、フラッシュメモリ又はハードディスクドライブなどの永続ストレージと、（ボックス１０が開いた時にセンサ１６を無線で検知し、医療システム２２と無線で又は有線リンクを介して通信する）検知／通信能力とを有するプロセッサベースの装置とすることができる。１つの実施形態では、この検知／通信能力が、ＢＬＥセンサの使用時にはＢｌｕｅｔｏｏｔｈ受信機／トランシーバ／チップと、コンピュータ装置２０がデジタルデータセルラネットワークを介して医療システムと通信できるようにする無線通信チップとを含むことができる。例えば、コンピュータ装置は、Ａｐｐｌｅ（登録商標）ｉＰｈｏｎｅ（登録商標）又はＡｎｄｒｏｉｄ（登録商標）オペレーティングシステムベースの装置などのスマートホン装置、パーソナルコンピュータ、タブレットコンピュータ及びラップトップコンピュータなどとすることができる。コンピュータ装置２０は、コンピュータ装置のプロセッサが実行できる、モバイルアプリケーション、装置に常駐するアプリケーション又は装置にダウンロードされたアプリケーションなどのアプリケーション／ソフトウェアをさらに含むことができる。このアプリケーションは、図６〜図７に一例を示すユーザインターフェイスをユーザのために生成することができ、センサ１６からの信号が検出された時にこの信号を受け取る機能を有することができ、ユーザがボックスを開いたことに関するデータを生成して医療システム２２に送信することができる。
【００１４】
図５に、図２に示すシステムを用いて実行できる、錠剤の使用を追跡する方法５０を示す。この方法では、錠剤の使用を追跡するために、図６に示す例示的なログイン画面などを使用してスマートホンなどのコンピュータ装置上のアプリケーションを開始することができる（５２）。ユーザは、初めてアプリケーションを開始する前に、名前、年齢、民族性、性別及びユーザに関するその他の人口統計情報を入力することによって、図６〜図７に示す例におけるＰｉｌｌＰａｌと呼ばれるアプリケーションを設定することができる。このアプリケーションは、バックグラウンドで実行されることによってセンサ無線信号を検出することができる。
【００１５】
アプリケーションは、開始されて作動すると、ＢＬＥセンサの使用時にはＢＬＥ  Ｂｌｕｅｔｏｏｔｈ無線信号などのセンサ無線信号をリスンすることができる（５４）。アプリケーションは、ボックス内のセンサからのセンサ信号が検出されない限りセンサ無線信号をリスンし続ける（５４）。センサ信号が検出されないということは、シールドによってセンサ無線信号が遮断されているためボックスが閉じているということである。（ボックスが開いたことを示す）センサ無線信号が検出されると、方法は、図７に示す例示的なユーザインターフェイスなどを使用して、ユーザが薬を服用したこと確認する通知を生成して送信することができる（５８）。その後、方法は、ユーザが薬を服用した旨を確認した後に１〜２時間などの所定の時間にわたって待機することができる（６０）。この期間が経過すると、方法は、ユーザに投薬に対するいずれかの副作用／拒絶反応があるかどうかについての通知を生成し（６２）、ユーザにいずれかの薬の副作用があったかどうかを尋ねて確認する。方法は、ユーザによる薬の服用及び医療システム２２への副作用の通知に関するデータを生成することもできる。
【００１６】
以上、特定の実施形態を参照しながら説明目的で解説を行った。しかしながら、上記の例示的な説明は、完全であることや、或いは開示した厳密な形に本開示を限定することを意図したものではない。上記の教示に照らして多くの修正及び変形が可能である。これらの実施形態は、本開示の原理及びその実際の応用を最良に説明することにより、他の当業者が検討する特定の用途に適した形で本開示及び様々な実施形態を様々に修正して最良に利用できるように選択し説明したものである。
【００１７】
本明細書に開示したシステム及び方法は、１又は２以上のコンポーネント、システム、サーバ、機器又はその他のサブコンポーネントを通じて実装することができ、或いはこのような要素間で分散することもできる。システムとして実装する場合、このようなシステムは、とりわけ汎用コンピュータで見られるソフトウェアモジュール、汎用ＣＰＵ、ＲＡＭなどのコンポーネントを含み、及び／又は伴うことができる。サーバに革新性が存在する実装では、このようなサーバが、汎用コンピュータで見られるようなＣＰＵ、ＲＡＭなどのコンポーネントを含み、及び／又は伴うことができる。
【００１８】
また、本明細書におけるシステム及び方法は、上述した以外の異種の又は完全に異なるソフトウェアコンポーネント、ハードウェアコンポーネント及び／又はファームウェアコンポーネントを含む実装を通じて実現することもできる。このような他のコンポーネント（例えば、ソフトウェア、処理コンポーネントなど）、及び／又は本発明に関連する又は本発明を具体化するコンピュータ可読媒体については、例えば本明細書における革新性の態様を数多くの汎用又は専用コンピュータシステム又は構成と調和させて実装することができる。本明細書における革新性との併用に適することができる様々な例示的なコンピュータシステム、環境及び／又は構成としては、以下に限定されるわけではないが、パーソナルコンピュータ、ルーティング／接続性コンポーネントなどのサーバ又はサーバコンピュータ装置、ハンドヘルド又はラップトップ装置、マルチプロセッサシステム、マイクロプロセッサベースのシステム、セットトップボックス、消費者電子装置、ネットワークＰＣ、他の既存のコンピュータプラットフォーム、上記のシステム又は装置のうちの１つ又は２つ以上を含む分散型コンピュータ環境などの内部の又はこれらに組み込まれたソフトウェア又はその他のコンポーネントを挙げることができる。
【００１９】
場合によっては、システム及び方法の態様を、例えばこのようなコンポーネント又は回路に関連して実行されるプログラムモジュールを含む論理回路及び／又は論理命令を介して実現し、或いはこのような論理回路及び／又は論理命令によって実行することもできる。一般に、プログラムモジュールは、本明細書における特定のタスク又は特定の命令を実行するルーチン、プログラム、オブジェクト、コンポーネント、データ構造などを含むことができる。また、本発明は、通信バス、通信回路又は通信リンクを介して回路が接続された分散ソフトウェア、分散コンピュータ又は分散回路環境を背景として実施することもできる。分散環境では、メモリストレージデバイスを含むローカルコンピュータ記憶媒体及び遠隔コンピュータ記憶媒体の両方から制御／命令を行うことができる。
【００２０】
本明細書におけるソフトウェア、回路及びコンポーネントは、１又は２以上のタイプのコンピュータ可読媒体を含み及び／又は利用することもできる。コンピュータ可読媒体は、このような回路及び／又はコンピュータコンポーネント上に存在する、これらに関連する、又はこれらがアクセスできるいずれかの利用可能な媒体とすることができる。一例として、限定するわけではないが、コンピュータ可読媒体としてはコンピュータ記憶媒体及び通信媒体を挙げることができる。コンピュータ記憶媒体は、コンピュータ可読命令、データ構造、プログラムモジュール又はその他のデータなどの情報を記憶するためのいずれかの方法又は技術で実装された揮発性及び不揮発性の取り外し可能及び取り外し不能媒体を含む。コンピュータ記憶媒体は、以下に限定するわけではないが、ＲＡＭ、ＲＯＭ、ＥＥＰＲＯＭ、フラッシュメモリ又はその他のメモリ技術、ＣＤ−ＲＯＭ、デジタル多用途ディスク（ＤＶＤ）又はその他の光学ストレージ、磁気テープ、磁気ディスクストレージ又はその他の磁気記憶装置、或いは所望の情報を記憶するために使用できるとともにコンピュータコンポーネントがアクセスできる他のいずれかの媒体を含む。通信媒体は、コンピュータ可読命令、データ構造、プログラムモジュール及び／又はその他のコンポーネントを含むことができる。さらに、通信媒体は、有線ネットワーク又は直接有線接続などの有線媒体を含むことができるが、本明細書におけるこのようなタイプの媒体は、いずれも一時的媒体を含まない。また、上記のいずれかの組み合わせもコンピュータ記憶媒体の範囲に含まれる。
【００２１】
本明細書におけるコンポーネント、モジュール、装置などの用語は、様々な形で実装できるあらゆるタイプの論理的又は機能的ソフトウェア要素、回路、ブロック及び／又はプロセスを意味することができる。例えば、様々な回路及び／又はブロックの機能を互いに組み合わせて他のあらゆる数のモジュールにすることができる。各モジュールは、中央処理装置に読み取られて本明細書における革新性の機能を実行できる、有形メモリ（例えば、ランダムアクセスメモリ、リードオンリメモリ、ＣＤ−ＲＯＭメモリ、ハードディスクドライブなど）に記憶されたソフトウェアプログラムとして実装することもできる。或いは、これらのモジュールは、汎用コンピュータに送信される、又は送信搬送波を介して処理／グラフィックスハードウェアに送信されるプログラミング命令を含むこともできる。また、モジュールは、本明細書における革新性に含まれる機能を実装するハードウェア論理回路として実装することもできる。最後に、これらのモジュールは、専用命令（ＳＩＭＤ命令）、フィールドプログラマブルロジックアレイ、又は所望のレベルの性能及びコストをもたらすこれらのいずれかの混合物を用いて実装することもできる。
【００２２】
本明細書に開示したように、本開示による機能は、コンピュータハードウェア、ソフトウェア及び／又はファームウェアを通じて実装することができる。例えば、本明細書で開示したシステム及び方法は、例えばデータベース、デジタル電子回路、ファームウェア、ソフトウェア又はこれらの組み合わせも含むコンピュータなどのデータプロセッサを含む様々な形態で具体化することができる。さらに、開示した実装の一部では、特定のハードウェアコンポーネントについて説明しているが、本明細書における革新性によるシステム及び方法は、ハードウェア、ソフトウェア及び／又はファームウェアのあらゆる組み合わせを用いて実装することもできる。さらに、上述した機能及びその他の態様、並びに本明細書における革新性の原理は、様々な環境で実装することができる。このような環境及び関連する用途は、本発明による様々なルーチン、プロセス及び／又は動作を実行するように特別に構成することも、或いは汎用コンピュータ、又は必要な機能を提供するようにコードによって選択的に有効化又は再構成されたコンピュータプラットフォームを含むこともできる。本明細書で開示したプロセスは、本質的にいずれかの特定のコンピュータ、ネットワーク、アーキテクチャ、環境又はその他の装置に関連するものではなく、ハードウェア、ソフトウェア及び／又はファームウェアの好適な組み合わせによって実装することができる。例えば、本発明の教示に従って書かれたプログラムと共に様々な汎用機械を使用することもでき、或いは必要な方法及び技術を実行するように特殊な装置又はシステムを構成する方が便利な場合もある。
【００２３】
本明細書で説明したロジックなどの方法及びシステムの態様は、フィールドプログラマブルゲートアレイ（「ＦＰＧＡ」）、プログラマブルアレイロジック（「ＰＡＬ」）デバイス、電気的にプログラム可能なロジックなどのプログラマブルロジックデバイス（「ＰＬＤ」）、メモリデバイス及び標準的なセルベースの装置、並びに特定用途向け集積回路を含む様々な回路のいずれかにプログラムされる機能として実装することもできる。態様を実装するための他のいくつかの可能性としては、メモリデバイス、（ＥＥＰＲＯＭなどの）メモリ付きマイクロコントローラ、内蔵マイクロプロセッサ、ファームウェア、ソフトウェアなどが挙げられる。さらに、ソフトウェアベースの回路エミュレーション、個別ロジック（順序ロジック及び組み合わせロジック）、カスタムデバイス、ファジー（ニューラル）ロジック、量子デバイス、及びこれらのデバイスタイプのいずれかの混成を有するマイクロプロセッサにおいて態様を具体化することもできる。例えば、金属酸化物半導体電界効果トランジスタ（「ＭＯＳＦＥＴ」）技術に似た相補型金属酸化物半導体（「ＣＭＯＳ」）、バイポーラ技術に似たエミッタ結合型論理回路（「ＥＣＬ」）、ポリマー技術（例えば、シリコン共役ポリマー及び金属共役ポリマー金属構造体）、混合アナログ及びデジタルなどの基礎デバイス技術を様々なコンポーネントタイプで提供することができる。
【００２４】
また、本明細書で開示した様々なロジック及び／又は機能は、挙動特性、レジスタ転送特性、論理コンポーネント特性及び／又はその他の特性の観点から、ハードウェア、ファームウェアのあらゆる数の組み合わせを使用して、及び／又は機械可読又はコンピュータ可読媒体に具体化されたデータ及び／又は命令として有効にすることができる。このようなフォーマットデータ及び／又は命令を具体化できるコンピュータ可読媒体は、限定的な意味ではなく様々な形態の不揮発性記憶媒体（例えば、光学記憶媒体、磁気記憶媒体又は半導体記憶媒体）を含むことができるが、ここでも一時的媒体は含まない。本明細書全体を通じ、「備える（ｃｏｍｐｒｉｓｅ、ｃｏｍｐｒｉｓｉｎｇ）」などの用語は、文脈上明らかに他の意味を必要としない限り、排他的又は網羅的な意味の対語である包括的な意味で、すなわち「〜を含むけれどもそれに限定されない（ｉｎｃｌｕｄｉｎｇ，ｂｕｔ  ｎｏｔ  ｌｉｍｉｔｅｄ  ｔｏ）」という意味で解釈されたい。また、単数又は複数を用いた単語は、それぞれ複数又は単数も含む。また、「本明細書において（ｈｅｒｅｉｎ）」、「本明細書に従って（ｈｅｒｅｕｎｄｅｒ）」、「上記の（ａｂｏｖｅ）」、「以下の（ｂｅｌｏｗ）」、及び同様の意味の単語は、本出願のいずれかの特定の部分ではなく本出願全体を示す。２又は３以上の項目のリストへの言及において「又は（ｏｒ）」という単語を使用している場合、この単語は、リスト内のいずれかの項目、リスト内の全ての項目、及びリスト内の項目のいずれかの組み合わせ、という解釈を全て含む。
【００２５】
本明細書では、本発明の現在のところ好ましいいくつかの実装について具体的に説明したが、本発明に関連する当業者には、本発明の趣旨及び範囲から逸脱することなく、本明細書で図示し説明した様々な実装の変形及び変更を行えることが明らかであろう。従って、本発明は、適用される法の原則によって定められる範囲のみに限定されるように意図されている。
【００２６】
上記では、本開示の特定の実施形態について言及したが、当業者であれば、本開示の原理及び趣旨から逸脱することなく実施形態に変更を行うことができ、本開示の範囲は添付の特許請求の範囲によって定められると理解するであろう。
【符号の説明】
【００２７】
５０  錠剤の使用を追跡する方法
５２  スマートホンアプリを開始
５４  ＢＬＥセンサをリスン
５６  ＢＬＥ信号を捕らえたか？
５８  薬の服用を確認する通知を送信
６０  Ｘ分経過したか？
６２  副作用を確認する通知を送信
【図１】
2019534731.tif 000003
【図２】
2019534731.tif 000004
【図３】
2019534731.tif 000005
【図４】
2019534731.tif 000006
【図５】
2019534731.tif 000007
【図６】
2019534731.tif 000008
【図７】
2019534731.tif 000009
【国際調査報告】
2019534731.tif 000010